(57)【要約】      （修正有）【課題】骨結合の質及び量的効果を高めた歯科インプラントを提供する。【解決手段】円柱形で第１末端１１及び第２末端１２を有するフィクスチャー１０と、フィクスチャーを取り巻く非対称のねじ山２０と、第１末端１１に位置し、副鼻腔の適当な部位に挿入される先端固定部３０と、第２末端１２に位置し、ボルトによってアバットメントと結合して内部接触を最大化した固定部４０とを備え、フィクスチャー１０は、第１末端１１から第２末端１２に至る円形の横断面を有し、先端固定部３０は、第１末端１１に位置し、フィクスチャー１０及び骨が緊密に結合するように構成され、内部接触を最大化した固定部４０は、固定空洞及び固定開口部４４を有し、第２末端１２に位置し、アバットメントの根元と結合し、内部接触を最大化した固定部の固定枠４３は６個の嵌合溝４３１を有し、アバットメントの根元に突設した３個の嵌合突起に対応して構成される。【選択図】図１
2011104222.tif 000002
【特許請求の範囲】
【請求項１】
円柱形で第１末端及び第２末端を有するフィクスチャーと、フィクスチャーを取り巻く非対称のねじ山と、フィクスチャー第１末端に位置し、副鼻腔の適当な部位に挿入される先端固定部と、フィクスチャー第２末端に位置し、ボルトによってアバットメントと結合して内部接触を最大化した固定部とを備えた歯科インプラントであって、
フィクスチャーは、第１末端から第２末端に至る円形の横断面を有し、
先端固定部は、フィクスチャー第１末端に位置し、新しくできた骨が副鼻腔から先端固定部に向かって延伸することにより固定機能を生じ、フィクスチャー及び骨が緊密に結合するように構成され、
内部接触を最大化した固定部は、固定空洞及び固定開口部を有し、フィクスチャー第２末端に位置し、アバットメントの根元と結合し、
内部接触を最大化した固定部の固定枠は、６個の嵌合溝を有し、アバットメントの根元に突設した３個の嵌合突起に対応して構成され、
６個の嵌合溝は、フィクスチャーの軸の中心に均等に配置され、それぞれ２個の嵌合溝の角度が約６０度である
ことを特徴とする歯科インプラント。
【請求項２】
先端固定部が、先端に空洞を有し、先端の空洞底部及び先端固定部から延伸して先端の空洞縁を形成する先端の凹状壁とを備え、
それら先端の空洞縁が先端の空洞開口部を形成し、副鼻腔の骨を開口部から、先端の空洞内に成長進入させる
請求項１に記載の歯科インプラント。
【請求項３】
先端固定部の先端の空洞は、固定要素を有し、多くの溝及び肋材が空洞壁を取り囲んで構成される
請求項２に記載の歯科インプラント。
【請求項４】
先端固定部の先端の空洞は、固定要素を有し、内部のねじ山が先端固定部の先端の空洞を取り囲んで構成され、その内部のねじ山の方向が、フィクスチャーの非対称のねじ山と反対である
請求項２に記載の歯科インプラント。
【請求項５】
先端固定部は、凹状の先端をもつ円球形挙上器の先端部を有し、フィクスチャー第１末端に位置し、
凹状の先端が凹状の溝底面、また凹状壁が周辺に向かって放射状に延伸してなる鋭利な周辺切削縁を有する
請求項１ないし４のいずれかに記載の歯科インプラント。
【請求項６】
凹状壁は、凹状の溝底面から延伸して湾曲した表面を形成し、凹状の溝底面及び凹状壁が、円球形挙上器の先端部で凹状溝を形成する
請求項５に記載の歯科インプラント。
【請求項７】
円球形挙上器の先端部において、凹状の溝底面が突起部を有する
請求項５に記載の歯科インプラント。
【請求項８】
突起部は、凹状の溝底面中央にあり、突起状であって、平滑かつ湾曲した表面を有する
請求項７に記載の歯科インプラント。
【請求項９】
非対称のねじ山は非対称であり、第１側面、第２側面と、第１側面及び第２側面先端の刃先の縁部を有し、
第１側面は、フィクスチャー第１末端に向かって比較的小さい傾斜であり、第２側面はフィクスチャー第２末端に向かってやや大きい傾斜であり、第２側面の角度が第１側面の角度より大きい
請求項１ないし８のいずれかに記載の歯科インプラント。
【請求項１０】
非対称のねじ山は、主要ねじ山部分及び末端ねじ山部分を有し、主要ねじ山部分は長く、末端ねじ山部分は短く、末端ねじ山部分及び第２末端は連結し、主要ねじ山部分は末端ねじ山部分から延伸して第１末端と連結し、主要ねじ山部分の最末端部分はやや低く、やや小さい角度である
請求項９に記載の歯科インプラント。
【請求項１１】
フィクスチャーの第１末端は徐々に小さくなり副鼻腔に挿入しやすく構成され、歯科インプラントを副鼻腔にさらに挿入しやすくするために、フィクスチャーは複数の先端の凹みを有し、先端の凹みはＶ字型の横断面を有し、２枚の刃先面が第１末端からフィクスチャーに切れ込むことによって形成され、その２枚の刃先面部分で、露出した刃先の縁部が１個または複数の切削刃先を形成する
請求項９または１０に記載の歯科インプラント。
【請求項１２】
フィクスチャーの第２末端は、金属フェルールを有し、
金属フェルールは、フィクスチャー第２末端の周辺縁部が内側に向かって延伸した傾斜壁である
請求項１ないし１２のいずれかにに記載の歯科インプラント。
【発明の詳細な説明】
【技術分野】
【０００１】
本発明は、歯科インプラントに関する。
【背景技術】
【０００２】
歯科インプラントは、人工歯根であり、歯科補綴学において、１つまたは１群の歯の修復、支持に用いられる。過去２０年、毎年１００万の歯科インプラントが口腔内に埋入され、欠損歯の代わりとなっている。
しかしながら、安全性、患者の適応度、治癒後の効果、審美性、医療費用など、多くの問題により、歯科インプラント治療を行う歯科医師はわずか３％にも満たず、歯科インプラント治療を選択する患者もわずか５％に満たない。
【０００３】
新しい歯科インプラントの設計は、１．骨結合に要する時間の短縮、２．歯科インプラントの治療期間の短縮、３．歯科インプラント治療費用の削減、４．歯科インプラント手術の成功率の上昇、５．患者の歯科インプラント適応度の改善、６．歯科インプラント治療の審美性及び機能性の改善に有益である。
【０００４】
さらに重要なことに、歯科インプラントを歯科医師が使用することにより、歯科インプラント治療を奨励することができる。それは、歯科インプラントの安定性の向上、歯科インプラント過程で問題となる病気の減少、歯科インプラント手術及び歯冠修復に必要な時間の短縮、骨結合の質及び量の増強、非常に長い骨移植過程の回避、歯科インプラント、アバットメント及びボルト間の表面接触と安定性の増加、歯冠修復後の失敗率の低下、ならびに歯科インプラント手術の技術アレルギー問題の低下に寄与する。
【０００５】
関連する従来技術には、特許文献１〜３などがあるが、安価で簡易に使える歯科インプラントのフィクスチャーマウントはなかった。
【先行技術文献】
【特許文献】
【０００６】
【特許文献１】特開２００９−２３３１７９  「人工歯根及びインプラント」
【特許文献２】特開２００９−８２１７１  「歯科用インプラントアバットメント」
【特許文献３】特開２００９−４５４５３  「インプラント用一体型アバットメントの製造方法及びインプラント用一体型アバットメント」
【発明の概要】
【発明が解決しようとする課題】
【０００７】
そこで、本発明は、骨結合の質及び量的効果を高めた歯科インプラントを提供することを課題とする。
【課題を解決するための手段】
【０００８】
上記課題を解決するために、本発明の歯科インプラントは、円柱形で第１末端及び第２末端を有するフィクスチャーと、フィクスチャーを取り巻く非対称のねじ山と、フィクスチャー第１末端に位置し、副鼻腔の適当な部位に挿入される先端固定部と、フィクスチャー第２末端に位置し、ボルトによってアバットメントと結合して内部接触を最大化した固定部とを備えた歯科インプラントであって、フィクスチャーは、第１末端から第２末端に至る円形の横断面を有し、先端固定部は、フィクスチャー第１末端に位置し、新しくできた骨が副鼻腔から先端固定部に向かって延伸することにより固定機能を生じ、フィクスチャー及び骨が緊密に結合するように構成され、内部接触を最大化した固定部は、固定空洞及び固定開口部を有し、フィクスチャー第２末端に位置し、アバットメントの根元と結合し、内部接触を最大化した固定部の固定枠は、６個の嵌合溝を有し、アバットメントの根元に突設した３個の嵌合突起に対応して構成され、６個の嵌合溝は、フィクスチャーの軸の中心に均等に配置され、それぞれ２個の嵌合溝の角度が約６０度であることを特徴とする。
【０００９】
ここで、先端固定部が、先端に空洞を有し、先端の空洞底部及び先端固定部から延伸して先端の空洞縁を形成する先端の凹状壁とを備え、それら先端の空洞縁が先端の空洞開口部を形成し、副鼻腔の骨を開口部から、先端の空洞内に成長進入させるように構成してもよい。
【００１０】
また、先端固定部の先端の空洞は、固定要素を有し、多くの溝及び肋材が空洞壁を取り囲んで構成してもよい。
【００１１】
先端固定部の先端の空洞は、固定要素を有し、内部のねじ山が先端固定部の先端の空洞を取り囲んで構成され、その内部のねじ山の方向が、フィクスチャーの非対称のねじ山と反対であるように構成してもよい。
【００１２】
先端固定部は、凹状の先端をもつ円球形挙上器の先端部を有し、フィクスチャー第１末端に位置し、凹状の先端が凹状の溝底面、また凹状壁が周辺に向かって放射状に延伸してなる鋭利な周辺切削縁を有するように構成してもよい。
【００１３】
凹状壁は、凹状の溝底面から延伸して湾曲した表面を形成し、凹状の溝底面及び凹状壁が、円球形挙上器の先端部で凹状溝を形成するように構成してもよい。
【００１４】
円球形挙上器の先端部において、凹状の溝底面が突起部を有するように構成してもよい。
【００１５】
突起部は、凹状の溝底面中央にあり、突起状であって、平滑かつ湾曲した表面を有するように構成してもよい。
【００１６】
非対称のねじ山は非対称であり、第１側面、第２側面と、第１側面及び第２側面先端の刃先の縁部を有し、第１側面は、フィクスチャー第１末端に向かって比較的小さい傾斜であり、第２側面はフィクスチャー第２末端に向かってやや大きい傾斜であり、第２側面の角度が第１側面の角度より大きく構成してもよい。
【００１７】
非対称のねじ山は、主要ねじ山部分及び末端ねじ山部分を有し、主要ねじ山部分は長く、末端ねじ山部分は短く、末端ねじ山部分及び第２末端は連結し、主要ねじ山部分は末端ねじ山部分から延伸して第１末端と連結し、主要ねじ山部分の最末端部分はやや低く、やや小さい角度にように構成してもよい。
【００１８】
フィクスチャーの第１末端は徐々に小さくなり副鼻腔に挿入しやすく構成され、歯科インプラントを副鼻腔にさらに挿入しやすくするために、フィクスチャーは複数の先端の凹みを有し、先端の凹みはＶ字型の横断面を有し、２枚の刃先面が第１末端からフィクスチャーに切れ込むことによって形成され、その２枚の刃先面部分で、露出した刃先の縁部が１個または複数の切削刃先を形成してもよい。
【００１９】
フィクスチャーの第２末端は、金属フェルールを有し、金属フェルールは、フィクスチャー第２末端の周辺縁部が内側に向かって延伸した傾斜壁に構成してもよい。
【発明の効果】
【００２０】
本発明によると、歯科インプラント手術によるアレルギーを低下し使用が容易である。また、歯科インプラントの安定性が向上する。骨保存が増加する。歯科インプラントの埋入後の回転を防げる。人工インプラントの主要な失敗原因の一つであったアバットメントの脱落を防げる。歯科インプラント手術の成功率を高め、複合的な手術過程を避け、歯の自然な外観及び機能性を改善できる。歯科インプラント手術、歯冠修復、治療期間を短縮できる。
【図面の簡単な説明】
【００２１】
【図１】歯科インプラントの斜視体図
【図２】歯科インプラント、アバットメント、ボルトの分解斜視図
【図３】歯科インプラントの正面断面図
【図４】歯科インプラントの参考斜視図
【図５】歯科インプラントの参考正面断面図
【発明を実施するための形態】
【００２２】
本発明による歯科インプラントは、フィクスチャーと、歯科インプラントの先端固定部、歯科インプラント先端部の円球形副鼻腔挙上器、アバットメント及び歯科インプラント間の最大の摩擦力及び安定性を与える内部接触を最大化した固定部、非対称のねじ山設計（歯科インプラントの外側中段の位置）、鋭利なねじ山設計（歯科インプラントの先端外側の位置）、製品結合度の安定性と審美性を提供する金属フェルール設計とを備えることを基本とする。
また、先端固定部と、副鼻腔を挙上し骨結合効果を提供する円球形挙上器、水晶状の６個の嵌合溝により最大の摩擦力及び安定性を提供する内部接触を最大化した固定部、露出した部分の安定性及び製品の結合度を提供する金属フェルール設計、インプラントで孔を開けるとき、自ら切削し抵抗力を減少させる機能を提供する鋭利な非対称設計とを備えるものでもある。
【００２３】
以下に、本発明の実施形態を、図面に示す実施例を基に説明する。なお、実施形態は下記の例示に限らず、本発明の趣旨から逸脱しない範囲で、文献など従来公知の技術を用いて適宜設計変更可能である。
また、以下の実施例では、器具の要部を説述するが、構造細部及び周辺装置は、標準的に用いられている従来公知の技術を適宜適用可能である。
【００２４】
図１は、歯科インプラントの斜視体図、図２は、歯科インプラント、アバットメント、ボルトの分解斜視図、図３は、歯科インプラントの正面断面図である。
本発明による歯科インプラントは、円柱形の胴体であるフィクスチャー１０を有し、その第１末端１１は副鼻腔の一端に挿入し、第２末端１２は、ボルト７０を介してアバットメント６０と完全に結合する。歯科インプラントはフィクスチャー１０を取り囲む非対称のねじ山２０を有する。先端固定部３０は、フィクスチャー第１末端１１に位置し、内部接触を最大化した固定部４０は、フィクスチャー第２末端１２に位置する。
【００２５】
フィクスチャー１０は円形の横断面を有し、第１末端１１から第２末端１２に至る。フィクスチャー第１末端１１の半径は徐々に小さくなる設計で、副鼻腔への挿入をさらに容易にする。フィクスチャー第２末端１２は、歯茎の外に露出し、アバットメント６０と結合する部位である。フィクスチャー１０の寸法は、長さ及び半径を含めて、異なる副鼻腔位置により変化が必要である。
【００２６】
フィクスチャー１０を取り囲む非対称のねじ山２０は、第２末端１２から第１末端１１に至る。非対称のねじ山２０は、連続的なねじ山であるか、複数個所で分断点があり、ボルト７０を副鼻腔の骨に埋入させやすくし、骨の完全な状態を維持する。
【００２７】
図３に示したように、歯科インプラントに関しては、対照のねじ山はあまり効果がないため、本発明は非対称のねじ山２０を選択した。ねじ山の両側は、異なる傾斜に設計されている。
非対称のねじ山２０は、第１側面２１及び第２側面２２を含む。第１側面２１はフィクスチャー１０の第１末端１１に向いていて、比較的小さい傾斜である。第２側面２２は、フィクスチャー１０の第２末端１２に向いていて、比較的大きい傾斜である。第２側面２２の角度は第１側面２１の角度より大きい。第１側面２１の傾斜は比較的小さいため、歯科インプラントを副鼻腔に挿入するときの抵抗が比較的小さい。反対に、第２側面２２の傾斜は比較的大きいため、歯科インプラントを副鼻腔から抜くときの抵抗が比較的大きい。
したがって、歯科インプラントの非対称のねじ山２０は、より効果的な副鼻腔への挿入効果を有し、インプラント手術後の安定性を高める。
【００２８】
骨は硬度により、４種類に分けることができる。１型（ＴｙｐｅＩ）は最も硬い骨を、４型（ＴｙｐｅＩＶ）は、最も柔らかい骨を示す。
非対称のねじ山２０の刃先の縁部２３は、第１側面２１及び第２側面２２の先端である。刃先の縁部２３は自ら切削する機能を有するので、３型及び４型の骨を容易に切削することができ、１型及び２型の骨を切削する際の抵抗も比較的小さい。歯科インプラントが副鼻腔に埋入され、３型及び４型の骨であるとき、鋭利な刃先の縁部２３は、容易に骨を切削することができ、孔を開ける必要がない。これは実質上、孔を開けないインプラント手術を実現した。
【００２９】
骨が１型及び２型に属する場合、非常に少量の骨に孔を開けるだけで、歯科インプラントを挿入できる。このようにして、骨の損失を最大限に減少させる。これは、歯科インプラントの安定性及び成功率に対して、重要な影響がある。さらに重要なことは、非対称のねじ山２０の刃先の縁部２３は、歯科インプラントを埋入するときに生じる熱を大幅に減少させることができ、手術に必要な時間を短縮することができる。熱及び時間は歯科インプラント手術の成功率に対して重要な影響がある。
【００３０】
非対称のねじ山２０は、主要ねじ山部分２０２、及び末端ねじ山部分２０１を含み、主要ねじ山部分２０２は長く、末端ねじ山部分２０１は短い。末端ねじ山部分２０１は第２末端１２と連結していて、主要ねじ山部分２０２は、末端ねじ山部分２０１から延伸し、第１末端１１と連結している。主要ねじ山部分の末端１４は比較的高度が低く、傾斜も小さい。
つまり、主要ねじ山部分２０２の面積は末端ねじ山部分２０１の面積より小さい。下顎先端の骨密度は、歯冠の骨密度より低いため、主要ねじ山部分２０２及び下あごの骨は十分な接触面積を確保することにより、十分な安定性を維持し、主要ねじ山部分２０２の傾斜値は増加する。
【００３１】
歯科インプラントを副鼻腔により容易に挿入するため、フィクスチャー１０は先端のへこみ１３を複数有する設計である。図１ないし３に示したように、本発明において、先端のへこみ１３はすべてＶ字型の横断面を有する。これは、２枚の刃先面１３１が第１末端１１からフィクスチャー１０に切れ込み形成されたものである。この２枚の刃先面１３１部分で、露出した非対称のねじ山２０の横断面及び非対称のねじ山２０の刃先の縁部２３は１つまたは複数の切削刃先２４を形成する。
本発明の歯科インプラントが副鼻腔に埋入されるとき、切削刃先２４は最初に骨を削り込む部位である。骨が硬ければ、切削刃先２４によって骨に部分的に孔が開けられ、先端のへこみ１３にとどまる。本発明の歯科インプラントは、全部で３個の先端のへこみ１３を有する。
【００３２】
図３に示したように、歯科インプラントの先端固定部３０はフィクスチャー１０の第１末端に位置する。先端固定部３０は、先端の空洞３１を有し、先端の空洞底部３２、及び先端の空洞壁３３を含む。先端の空洞壁３３は先端固定部３０の周辺から延伸して先端の空洞縁３４を形成する。先端の空洞縁３４は、先端の空洞開口部３５を形成し、副鼻腔の骨をここから先端の空洞３１内に成長侵入させる。
【００３３】
先端固定部３０は、先端の空洞３１内の固定要素３６からなる。この固定は先端の空洞壁３３で多くの溝及び肋材が取り囲むことにより、摩擦力を高めている。
本発明において、固定要素３６は内部のねじ山が、先端の空洞３１の先端の空洞壁３３を取り囲むことにより構成されている。
一般に、歯科インプラント後、副鼻腔底部の骨は、やや多くの血液を補充できるため、副鼻腔部分の骨の成長は盛んである。先端の空洞３１の空間は、新しくできた骨が成長し、先端の空洞壁３３の内部のねじ山と緊密に結びつくことにより、歯科インプラント及び骨の間の結合を確保する。
【００３４】
歯科インプラント手術に失敗する主な原因の１つは、歯科インプラントを埋入する際に、緩みすぎることである。歯科インプラントが骨と緊密に結合する前は、歯科インプラントは副鼻腔から出ないようにしなければならない。
特に強調すべきことは、本発明において、先端の空洞３１の先端の空洞壁３３の内部のねじ山の方向がフィクスチャー１０の非対称のねじ山２０の方向と反対であることである。したがって、外力によって非対称のねじ山２０が弛緩されるとき、同時に歯科インプラントの先端固定部３０の内部のねじ山が緊密に固定される。この２つの相反する力は互いに弱めるため、歯科インプラント埋入後の緩みを防止する。
【００３５】
事実上、多くの副鼻腔が非常に深いわけではないので、使用する歯科インプラントは長すぎてはいけない。このような状況では、浅い先端の空洞３１は、内部のねじ山がない、またはねじ山が短すぎることになるため、副鼻腔の挙上はさらに重要となる。
図４及び５の別実施例に示すように、本発明のその他の形式は、先端固定部３０が円球形挙上器の先端部３７を有することである。
【００３６】
円球形挙上器の先端部３７は、フィクスチャー１０の第１末端１１に位置し、凹状の先端３７１を有する。凹状の溝底面３７２、凹状壁３７３が周辺に向かって放射状に延伸して形成した鋭利な周辺切削縁３７４を含む。本発明において、凹状壁３７３は、凹状の溝底面３７２から延伸して湾曲面を形成していて、凹状の溝底面３７２は湾曲面または平面を呈する。凹状の溝底面３７２及び凹状壁３７３は、円球形挙上器の先端部３７で凹状溝３７５を形成する。
【００３７】
円球形挙上器の先端部３７は、さらに突起部３７６も有する。この突起部３７６は、凹状の溝底面３７２に位置し、適当な圧力で骨を広げる。本発明において、突起部３７６は凹状の溝底面３７２の中央に位置する。突起部３７６は、突起状で、平滑な湾曲した表面を有する。突起部３７６の高さは、凹状の先端３７１の深さと等しいか小さいため、突起部３７６は鋭利な周辺切削縁３７４を超えることはない。このような設計により、突起部３７６は初めに骨表面に接触する部位にはならず、円球形挙上器の先端部３７が置く位置からずれることを防止することができる。
【００３８】
円球形挙上器の先端部３７を有する歯科インプラントを副鼻腔に埋入するとき、円球形挙上器の先端部３７は副鼻腔層と接触する。非対称のねじ山２０により、回転力は副鼻腔に向かって方向転換される。円球形挙上器の先端部３７は骨を拡張すると同時に、円球形挙上器の先端部３７は副鼻腔に深く入り、副鼻腔を挙上する。円球形挙上器の先端部３７は突起部３７６を有するので、圧力を拡大し、効果的に骨を押し出して円球形挙上器の先端部３７の凹状溝３７５に侵入させることができる。円球形挙上器の先端部３７が副鼻腔を挙上し、骨を拡張させるのに伴って、歯科インプラントはさらに安定性を維持する。
【００３９】
図１ないし３に示したように、本発明の内部接触を最大化した固定部４０は、アバットメント６０を固定するのに用いられる。内部接触を最大化した固定部４０は、固定空洞４１、固定ねじ山４２、及び一般的な固定枠４３を含む。固定空洞４１は、フィクスチャー１０の第２末端１２に固定開口部４４を有し、歯科インプラント内に向かって垂直に伸びている。固定空洞４１は２つの部分に分かれている。固定空洞４１の第１部分４５は固定開口部４４の近くで、この第１部分４５はアバットメント６０の根元６１を収納している。この第１部分４５の半径とアバットメント６０の根元の半径は、完全に同じである。
【００４０】
固定空間４１の第２部分４６及び第一部分４５は隣接していて、固定空間４１の深部に位置する。固定ねじ山４２は、第２部分４６の内側を取り囲む。固定ねじ山４２はボルト７０が埋入する機能をもつ。
歯科インプラントを安全に副鼻腔に埋入後、アバットメント６０を装着する準備をする。まず、アバットメント６０の根元６１を固定空洞４１の第１部分４５に挿入してから、ボルト７０でアバットメント６０及び歯科インプラントを緊密に固定する。アバットメント６０は貫通孔６２を有し、固定空洞４１の固定開口部４４、及び第２部分４６と結合する。ボルト７０の先端７１は雄ねじ山７２を有し、アバットメント６０の貫通孔６２を通過して歯科インプラントと緊密に連結する。ボルト７０の頭部７３は、アバットメント６０の貫通孔６２中に維持され、ボルト７０が挿入する力点となり、アバットメント６０中に保持される。このような構造から、ボルト７０は、フィクスチャー１０と金属と金属間の安定接触を介して、アバットメント６０を歯科インプラント中に緊密に固定し、その安定性を大幅に増加させる。
【００４１】
本発明によると、内部接触を最大化した固定部４０の一般的な固定枠４３は６個の嵌合溝４３１を有し、アバットメント６０も３個の嵌合突起６３がアバットメント６０の根元６１から突設されている。嵌合突起６３がフィクスチャー１０の嵌合溝４３１に嵌合するとき、アバットメント６０は、安定して回転する。
【００４２】
本発明において、一般的な固定枠４３は固定空洞４１の固定開口部４４に位置し、嵌合溝４３１はすべて曲線状である。６個の嵌合溝４３１はすべて歯科インプラントの軸の中心に均等に配置されていて、それぞれ２個の嵌合溝４３１の角度は６０度である。アバットメント６０の３個の嵌合突起６３も嵌合溝４３１と相当する設計であり、３個の嵌合突起６３はすべてアバットメント６０の軸の中心に均等に配置され、それぞれ２個の嵌合突起６３の間の角度は１２０度である。
【００４３】
従来の歯科インプラントは、一般に３個の嵌合溝を有し、従来のアバットメントは一般に３個の嵌合突起を有する。
したがって、アバットメントは次の安定位置まで１２０度回転させる必要があり、３か所の安定位置しか選択できない。特定の角度でアバットメントを回転させることは、特に根元に特殊な角度のアバットメントを有する場合、かなり不便である。本発明では、一般的な固定枠４３は６個の嵌合溝４３１を歯科インプラントの軸の中心に均等に配置しているため、１つ目の嵌合溝から次の嵌合溝までの間の角度は、わずか６０度で、アバットメント６０は、従来技術が３か所の安定位置を選択できるのに比べ、６か所の安定位置を選択することができる。言い換えると、従来技術の歯科インプラントは次の安定位置まで１２０度回転させなければならいが、本発明は、６０度回転させるだけで、すぐに次の安定位置に達する。これは適当な回転角度をわかりやすくし、歯冠の装着をさらに簡単にする。
【００４４】
図１ないし５に示したように、フィクスチャー１０の第２末端１２は金属フェルール５０を有する。
この金属フェルール５０は、フィクスチャー１０の第２末端１２の周辺縁部から内側に向かって延伸した傾斜壁５１である。金属フェルール５０は厚いフィクスチャー１０の第２末端１２に備えられていて、外観の半径をやや減少させる。この金属フェルール５０を設計した目的は、審美性及び衛生面での効果を発揮するためである。
【００４５】
歯科インプラントの副鼻腔への埋入が深すぎる場合、フィクスチャー１０の第２末端１２は、歯茎に埋入されることがあり、歯茎が細菌感染しやすくなる。別の角度から述べると、歯科インプラントの副鼻腔への埋入が浅すぎる場合、歯科インプラントは歯茎外に現れ、審美性を損なう。本発明の金属フェルール５０は、歯科インプラントの埋入の深さを容易にコントロールでき、歯科医師の手助けとなる。歯科インプラント手術を行うとき、歯茎は金属フェルール５０の傾斜壁５１にちょうど合うようにする。このような状況では、歯茎は細菌感染しにくく、フィクスチャー１０も多く露出することはなく、歯科インプラントの安定性が増す。
【００４６】
以上のように、本発明は、自ら切削でき、かつ切削しすぎない歯科インプラントを提供する。非対称のねじ山２０を用いて、歯科インプラント手術をより簡単にし、骨結合の安定性を高める。非対称のねじ山２０の刃先の縁部２３、及び切削刃先２４は歯科インプラント時に大部分の骨を保存する効果がある。歯科インプラントの先端固定部３０は、先端の空洞３１を有し、副鼻腔の骨をその成長につれて先端の空洞３１に進入させる。固定要素３６の内部ねじ山は摩擦力を高め、骨及び歯科インプラントの結合をさらに安定させる。固定要素３６の内部ねじ山の方向は、非対称のねじ山２０の方向と反対で、歯科インプラントの埋入後の緩みを防止する。先端固定部３０は、円球形挙上器の先端部３７を含み、歯科インプラント手術中、副鼻腔を挙上する。
【００４７】
内部接触を最大化した固定部４０も有し、金属と金属間を安定接触させ、アバットメント６０のフィクスチャー１０への固定を維持する。一般の固定枠４３は多くの嵌合溝４３１を有し、歯冠の装着をさらに容易にする。金属フェルール５０は、歯科インプラントの位置の調整、歯茎の感染防止、歯科インプラントの金属露出の減少を助けている。
【産業上の利用可能性】
【００４８】
本発明によると、歯科インプラントの普及につながり実用的であり、産業上非常に有用である。
【符号の説明】
【００４９】
１０  フィクスチャー
１１  第１末端
１２  第２末端
１３  先端のへこみ
１３１  刃先面
１４  主要ねじ山部分の末端
２０  非対称のねじ山
２０１  末端ねじ山部分
２０２  主要ねじ山部分
２１  第１側面
２２  第２側面
２３  非対称のねじ山の刃先の縁部
２４  切削刃先
３０  先端固定部
３１  先端の空洞
３２  先端の空洞底部
３３  先端の空洞壁
３４  先端の空洞縁
３５  先端の空洞開口部
３６  固定要素
３７  円球形挙上器の先端部
３７１  凹状の先端
３７２  凹状の溝底面
３７３  凹状壁
３７４  鋭利な周辺切削縁
３７５  凹状溝
３７６  突起部
４０  内部接触を最大化した固定部
４１  固定空洞
４２  固定ねじ山
４３  固定枠
４３１  嵌合溝
４４  固定開口部
４５  固定空洞の第１部分
４６  固定空洞の第２部分
５０  金属フェルール
５１  傾斜壁
６０  アバットメント
６１  アバットメントの根元
６２  貫通孔
６３  アバットメントの嵌合突起
７０  ボルト
７１  ボルト先端
７２  雄ねじ山
７３  ボルト頭部
【図１】
2011104222.tif 000003
【図２】
2011104222.tif 000004
【図３】
2011104222.tif 000005
【図４】
2011104222.tif 000006
【図５】
2011104222.tif 000007